(57)【要約】【課題】滑らかな拡散風を送風することができ、傾動操作時の操作フィーリング感を改善し、ガタツキを防止することができる丸型のレジスタを提供する。【解決手段】円筒フレーム２０の中央に配設された中央軸支部３のボール穴４１に、ボールジョイント８のボール８１を嵌合させて、中央軸支部３が傾動及び回動可能に取り付けられる。可動フィン２３が、略等間隔をおいてラジアル方向の支軸２４ａ，２４ｂにより回動可能に軸支される。各可動フィン２３の内側の支軸２４ｂが中央軸支部３の軸支部４の各軸穴４ａに嵌入される。中央軸支部３の前面側中央には操作部６が回動可能に装着され、操作部６はベベルギヤ機構５を介して各可動フィン２３の内側部分と連係される。ボールジョイント８と中央軸支部３のボール穴４１間に、荷重付与部材７が介装され、可動フィン２３の支軸２４ｂの先端が荷重付与部材７に当接する。【選択図】図４
2014091377.tif 000002
【特許請求の範囲】
【請求項１】
円筒型のリテーナ内に円筒フレームを有した回動ルーバーが回動可能に配設され、該回動ルーバーには送風方向と平行な中心線から放射状に複数の可動フィンが該円筒フレームの内側でラジアル方向の支軸により回動可能に軸支されてなるレジスタにおいて、
該リテーナ内の送風方向と平行な中心線上に、ボールを有するボールジョイントが配設され、該回動ルーバーには、該円筒フレームの中央に、軸支部を外周部に設けた中央軸支部が配設され、該中央軸支部は中央に設けたボール穴を該ボールに嵌合させて、傾動及び回動可能に取り付けられ、
該円筒フレームの内側に複数の可動フィンが、略等間隔をおいてラジアル方向の支軸により回動可能に軸支されるとともに、該各可動フィンの内側の支軸が該中央軸支部の該軸支部の各軸穴に嵌入され、
該中央軸支部の前面側中央には操作部が該回動ルーバーの中心線の回りで回動可能に装着され、該操作部はベベルギヤ機構を介して該各可動フィンの内側部分と連係され、
該ボールジョイントのボールと該中央軸支部のボール穴間には、カップ状でゴム状弾性体製の荷重付与部材が介装され、該可動フィンの該支軸の先端が該荷重付与部材に当接し、
該操作部の該中心線を軸とする回動操作に応じて、該可動フィンが該ベベルギヤ機構を介して、該中央軸支部の軸支部を中心に回動し、該操作部を該円筒フレームのラジアル方向に動かしたとき、該円筒フレームと該リテーナ内面が非接触で、該回動ルーバーは該ボールジョイントに支持された状態で該ボールを中心に傾動すること特徴とするレジスタ。
【請求項２】
前記回動ルーバーの中央軸支部の外周部には５個の軸支部が等間隔で設けられ、５枚の前記可動フィンがそれらの該軸支部に軸支されて、該回動ルーバーの円筒フレームの内側に該可動フィンが等間隔で配置され、前記円筒フレームの横断面と略平行状態まで該可動フィンが回動したとき該円筒フレーム内を閉鎖すること特徴とする請求項１記載のレジスタ。
【請求項３】
前記ベベルギヤ機構は、駆動側のベベルギヤ部が前記操作部に連結されるとともに前記中央軸支部の中央に突設された中央軸に回動可能に軸支され、従動側のベベルギヤ片が前記各可動フィンの内側元部近傍に一体成形され、駆動側の該ベベルギヤ部と従動側の各該ベベルギヤ片が噛合して構成されたこと特徴とする請求項１記載のレジスタ。
【請求項４】
前記回動ルーバーの円筒フレームは、前円筒フレームと後円筒フレームを嵌着して形成され、該前円筒フレームにはその横断面に沿って格子部が設けられ、該格子部の前面に前記操作部が回動可能に支持されるとともに前記ベベルギヤ機構に該操作部の中央部が連結されたことを特徴とする請求項３記載のレジスタ。
【請求項５】
前記回動ルーバーの各可動フィンには支軸が外側に突設され、該支軸は前記前円筒フレームと後円筒フレームの間に挟持されて回動可能に支持されたことを特徴とする請求項４記載のレジスタ。
【請求項６】
前記リテーナ内には、前記回動ルーバーの円筒フレームがその外周面と該リテーナの内周面との間に僅かな隙間をもって回動可能に配設され、当該状態で、該リテーナの前部にベゼルが嵌着されたことを特徴とする請求項５記載のレジスタ。
【発明の詳細な説明】
【技術分野】
【０００１】
本発明は、主に自動車などの空調装置の空気吹出調整用に使用されるレジスタに関し、特に円筒状のリテーナと略円形の空気吹出口を有する丸型のレジスタに関する。
【背景技術】
【０００２】
従来、円形の空気吹出口を有する丸型のレジスタとして、円筒フレーム内に送風方向に沿った中心軸の回りで回動可能な丸型の回動ルーバーを備えたレジスタが、下記特許文献１などにより知られている。
【先行技術文献】
【特許文献】
【０００３】
【特許文献１】実公平３−２７２３７号公報
【発明の概要】
【０００４】
このレジスタは、内側に球面を有する円筒形の外枠を有し、その外枠の内側に、外側球面を有する内枠を、回動及び傾動可能に嵌め込み、内枠内には４枚の可動羽根を中心軸の周囲に放射状に配置した回動ルーバーが配設され、回動ルーバーの各可動羽根は、内枠のラジアル方向の支軸の回りで回動可能に軸支されて構成される。
【０００５】
さらに、このレジスタは、中心軸の末端及び各可動羽根の支軸の内側端にベベルギヤが設けられ、中心軸の末端に設けたベベルギヤと各可動羽根のベベルギヤが噛合し、中心軸の先端に設けた摘みを回すと、ベベルギヤを介して各可動羽根がその支軸を軸に回動する構造となっている。
【０００６】
レジスタの使用時に、中心軸先端の摘みを回すと、ベベルギヤを介して４枚の可動羽根がラジアル方向の支軸を中心に回動し、４枚の可動羽根が送風方向と平行な場合、レジスタの空気吹出口から送風される風が、可動羽根によって、中央に収束されるが、４枚の可動羽根が各支軸を軸に傾動すると、送風される空気流は空気吹出口の周囲に拡散するように流れる。さらに、各可動羽根を流路の横断面と平行な状態まで回動させた場合、レジスタの流路を遮断し送風を止めるようになっている。
【発明が解決しようとする課題】
【０００７】
しかし、この従来のレジスタは、風向を変える場合、摘みを持って内枠を、外枠に対し上下左右等の任意の方向に傾動（回動）させると、可動ルーバーが内枠とともに傾動し、風向が調整されるが、このとき、外枠に対し傾動（回動）する内枠は、その外側球面が外枠の内側球面と比較的広い面積で接触して回転する。
【０００８】
合成樹脂の型成形により部品が成形されるレジスタでは、通常、製品ごとの各部品の寸法に公差内誤差があり、球面の接触で回動可能に支持される、レジスタの可動ルーバーの構造では、レジスタの製品ごとの各球面形状の公差内寸法誤差により、回転時の摩擦抵抗にばらつきが発生する。
【０００９】
このため、外枠と内枠間の隙間が比較的大きく、その間の摩擦抵抗が小さい場合、内枠の傾動操作が軽くなりすぎ、送風時の風圧によっても、内枠の向きが変化しやすく、一方、逆に外枠と内枠間の隙間が小さくその間の摩擦抵抗が大きい場合、内枠の傾動操作は重くなって、操作しにくくなる。
【００１０】
そこで、外枠の内側球面と内枠の外側球面との間に、不織布などの摺動シートを介装し、公差内寸法誤差による摩擦抵抗のばらつきを吸収して、回動操作時に安定した操作荷重を付与することが行なわれているが、外枠の内側球面と内枠の外側球面間の、比較的広い接触面に不織布などの摺動シートを介在させた場合、内枠の回動操作時、その操作角度に応じて操作荷重が変わり、或いはゴリゴリ感が発生し、風向調整時の操作フィーリングが悪化しやすいという課題があった。
【００１１】
また、従来の上記レジスタは、４枚の可動羽根をラジアル方向の支軸の回りで回動させることにより、送風を収束から拡散まで調整することができるものの、拡散して送風する際、拡散風が荒くなる場合があり、滑らかな拡散風を求める要望があった。また、可動羽根の回転時にガタツキが生じやすいという課題があった。
【００１２】
本発明は、上述の課題を解決するものであり、滑らかな拡散風を送風することができ、傾動操作時の操作フィーリング感を改善し、ガタツキを防止することができる丸型のレジスタを提供することを目的とする。
【課題を解決するための手段】
【００１３】
上記目的を達成するために、本発明のレジスタは、円筒型のリテーナ内に円筒フレームを有した回動ルーバーが回動可能に配設され、該回動ルーバーには送風方向と平行な中心線から放射状に複数の可動フィンが該円筒フレームの内側でラジアル方向の支軸により回動可能に軸支されてなるレジスタにおいて、
該リテーナ内の送風方向と平行な中心線上に、ボールを有するボールジョイントが配設され、該回動ルーバーには、該円筒フレームの中央に、軸支部を外周部に設けた中央軸支部が配設され、該中央軸支部は中央に設けたボール穴を該ボールに嵌合させて、傾動及び回動可能に取り付けられ、
該円筒フレームの内側に複数の可動フィンが、略等間隔をおいてラジアル方向の支軸により回動可能に軸支されるとともに、該各可動フィンの内側の支軸が該中央軸支部の軸支部の各軸穴に嵌入され、
該中央軸支部の前面側中央には操作部が該回動ルーバーの中心線の回りで回動可能に装着され、該操作部はベベルギヤ機構を介して該各可動フィンの内側部分と連係され、
該ボールジョイントのボールと該中央軸支部のボール穴間には、カップ状でゴム状弾性体製の荷重付与部材が介装され、該可動フィンの該支軸の先端が該荷重付与部材に当接し、
該操作部の該中心線を軸とする回動操作に応じて、該可動フィンが該ベベルギヤ機構を介して、該中央軸支部の軸支部を中心に回動し、該操作部を該円筒フレームのラジアル方向に動かしたとき、該円筒フレームと該リテーナ内面が非接触で、該回動ルーバーは該ボールジョイントに支持された状態で該ボールを中心に傾動すること特徴とする。
【００１４】
この発明によれば、回動ルーバーの中央の操作部を持って回動ルーバーを任意の方向に傾動操作したとき、回動ルーバーは、該円筒フレームと該リテーナ内面が非接触で、該ボールジョイントに支持された状態でボールを中心に傾動するので、従来のレジスタのように、外枠の内側球面と内枠の外側球面の接触による回動支持に比して、製品ごとの寸法誤差に起因した操作荷重のばらつきやゴリゴリ感は発生せず、安定した滑らかな操作フィーリングで回動ルーバーを傾動させて風向を変えることができる。
【００１５】
さらに、ボールジョイントのボールと中央軸支部のボール穴間に、カップ状でゴム状弾性体製の荷重付与部材を介装させているので、より安定した操作荷重で且つ滑らかな操作フィーリングをもって、回動ルーバーを傾動操作することができる。加えて、可動フィンの支軸の先端が荷重付与部材に当接し、荷重付与部材はゴム状弾性体などから形成されて支軸に弾性力を付与するので、可動フィンの寸法のばらつきなどに起因した可動フィンのガタツキを防止することができる。
【００１６】
一方、上記レジスタにおいて、上記回動ルーバーの中央軸支部の外周部には５個の軸支部を等間隔で設け、５枚の可動フィンをそれらの軸支部に軸支させ、回動ルーバーの円筒フレームの内側に該可動フィンを等間隔で配置し、上記円筒フレームの横断面と略平行状態まで該可動フィンが回動したとき該円筒フレーム内を閉鎖するように構成することができる。これによれば、従来のレジスタで使用されていた４枚の可動羽根の大きさに比して、可動フィンの大きさを小形にすることができ、これにより、可動フィンをボールジョイントに干渉させずに、回動ルーバーを傾動させることができる。
【００１７】
つまり、例えば従来のレジスタのように４枚の可動フィンを中央軸支部の周囲に回動可能に軸支した場合、可動フィンが円筒フレームの横断面と略平行状態まで回動したとき円筒フレーム内を閉鎖する必要性から、５枚の可動フィンの場合より、その可動フィンの形状がより大形となって、可動フィンを送風方向と平行にした状態で回動ルーバーを傾動させたとき、可動フィンの後部内側がボールジョイントと干渉して、回動ルーバーの傾動角度が制限される。
【００１８】
これに対し、回動ルーバーに５枚の可動フィンを設けることにより、可動フィンがより小形となり、回動ルーバーを傾動させたときのボールジョイントとの干渉を回避し、広い角度範囲で回動ルーバーを傾動することができる。しかも、可動フィンの小形化に伴い、流路の軸方向（送風方向）と平行になった状態の軸方向の長さを短くすることができるため、リテーナの長さをより短くすることができ、これにより、レジスタの設置スペースを省スペース化することができる。
【００１９】
さらに、上記ベベルギヤ機構は、駆動側のベベルギヤ部が上記操作部に連結されるとともに上記中央軸支部の中央に突設された中央軸に回動可能に軸支され、従動側のベベルギヤ片が上記各可動フィンの内側元部近傍に一体成形され、駆動側のベベルギヤ部と従動側の各ベベルギヤ片を噛合して構成することができる。これによれば、従動側のベベルギヤ片が各可動フィンの内側部分に一体成形されるので、部品点数を削減できるとともに、部品の組付工数を少なくすることができる。
【００２０】
また、上記回動ルーバーの円筒フレームは、前円筒フレームと後円筒フレームを嵌着して形成され、該前円筒フレームにはその横断面に沿って格子部が設けられ、該格子部の前面に上記操作部が回動可能に支持されるとともに上記ベベルギヤ機構に該操作部の中央部が連結される構成とすることができる。
【００２１】
また、上記回動ルーバーの各可動フィンには上記支軸が外側に突設され、該支軸は上記前円筒フレームと後円筒フレームの間に挟持されて回動可能に支持される構造とすることができる。
【００２２】
さらに、上記リテーナ内には、上記回動ルーバーの円筒フレームがその外周面と該リテーナの内周面との間に僅かな隙間をもって回動可能に配設され、当該状態で、該リテーナの前部にベゼルを嵌着するように構成することができる。
【発明の効果】
【００２３】
本発明のレジスタによれば、滑らかな拡散風を送風することができるとともに、円滑な傾動操作を可能とし、傾動操作時の操作フィーリング感を改善し、ガタツキを防止することができる。
【図面の簡単な説明】
【００２４】
【図１】本発明の一実施形態を示すレジスタの正面図である。
【図２】同レジスタの斜視図である。
【図３】同レジスタの右側面図である。
【図４】図１のIV-IV断面図である。
【図５】図１のV-V断面図である。
【図６】図３のVI-VI断面図である。
【図７】レジスタの回動ルーバーの分解斜視図である。
【図８】回動ルーバーの可動フィンの分解斜視図である。
【図９】リテーナとベゼルの分解斜視図である。
【図１０】（ａ）は可動フィン、中央軸支部、ベベルギヤ機構及び荷重付与部材の分解側面図、（ｂ）荷重付与部材の正面図である。
【図１１】中央軸支部、ベベルギヤ機構及び荷重付与部材の分解断面図である。
【図１２】中央軸支部３と可動フィンの分解正面図である。
【図１３】（ａ）はベベルギヤ機構５のベベルギヤ部の斜視図、（ｂ）は同ベベルギヤ部の正面図である。
【図１４】可動フィンの平面図である。
【図１５】回動ルーバーを上に傾動させた状態の斜視図である。
【図１６】回動ルーバーを上に傾動させた状態の縦断面図である。
【図１７】回動ルーバーを下に傾動させた状態の斜視図である。
【図１８】回動ルーバーを下に傾動させた状態の縦断面図である。
【図１９】回動ルーバーの可動フィンを遮断状態とした、図６に対応する縦断面図である。
【発明を実施するための形態】
【００２５】
以下、本発明の一実施形態を図面に基づいて説明する。図１は自動車の車室内に設けられる空調装置用の丸型レジスタの正面図を示し、図２は同レジスタの斜視図を示している。このレジスタは、概略的には、図４に示す如く、円筒型のリテーナ１内に円筒フレーム２０を有した回動ルーバー２が回動可能に配設され、回動ルーバー２には送風方向と平行な中心線Ｓ１から放射状に、５枚の可動フィン２３が、円筒フレーム２０の内側で放射状の軸支部４によって、回動可能に軸支される。リテーナ１内には流路１５が形成され、リテーナ１はその前後部で開口している。
【００２６】
図７、９に示すように、リテーナ１内の後部には、支持枠１２が放射状に設けられ、支持枠１２の中央部にボールジョイント支持部１１が設けられ、ボールジョイント支持部１１の軸方向に穿設された軸孔に、ボールジョイント８の軸部８２が嵌め込まれて取り付けられる。ボールジョイント８は、図４などに示すように、円筒フレーム２０と５枚の可動フィン２３を有した回動ルーバー２を、レジスタの中心線Ｓ１上で支持し、中心線Ｓ１を中心に上下左右等に傾動可能に支持する構造となっている。
【００２７】
リテーナ１の前部外周部には、ベゼル９を嵌着するために、複数の係止部１３が設けられ、係止部１３にはベゼル９の係止爪９ａが係止される。ベゼル９は、円環状に形成されてその円形開口部が空気吹出口９ｂを形成し、内側に回動ルーバー２を配設した状態で、リテーナ１の前部に嵌着される。
【００２８】
回動ルーバー２は、図７に示すように、円筒フレーム２０内に５枚の可動フィン２３を放射状に配設し、円筒フレーム２０の前円筒フレーム２１の中央に操作部６を回動可能に軸支し、操作部６の回動操作に応じて、５枚の可動フィン２３を、中央軸支部３の外周部の軸支部４の回りで回動させるとともに、各可動フィン２３を支軸２４ａ，２４ｂを中心に傾動（回動）させるように構成される。また、回動ルーバー２は、中央に配置した中央軸支部３が、外周部に５個の軸支部４を等間隔（約７２°の角度間隔）で配置し、５枚の可動フィン２３をそれらの軸支部４に軸支させ、回動ルーバー２の円筒フレーム２０の内側に等間隔で配置するようになっている。
【００２９】
回動ルーバー２の可動フィン２３は、回動操作時、閉鎖方向の回動端で、リテーナ１内の流路１５（図５）の横断方向と平行状態まで回動し、５枚の可動フィン２３によって円筒フレーム２０内つまり流路１５を全閉状態とするようになっている。
【００３０】
このような回動ルーバー２を有したレジスタは、リテーナ１内に回動可能に収納され、図９の如く、その前部にベゼル９が嵌着される。この状態で、リテーナ１内における、回動ルーバー２の円筒フレーム２０は、その外周面とリテーナ１の内周面との間に僅かな隙間をもって回動可能に配設され、その状態で、リテーナ１の前部にベゼル９が嵌着される。
【００３１】
上記のように、回動ルーバー２を支持するボールジョイント８は、リテーナ１内の送風方向と平行な中心線Ｓ１上に、ボールジョイント支持部１１にその軸部８２を挿入して配設されるが、軸部８２の前側先端にボール８１が設けられ、そのボール８１には、荷重付与部材７を介して、中央軸支部３の中央のボール穴４１（図１１）が傾動及び回動可能に嵌合させる。
【００３２】
荷重付与部材７は、図１０，１１に示すように、熱可塑性エラストマーなどのゴム状弾性体によってカップ状に形成され、中央軸支部３の中央のボール穴４１に嵌入され、その内側に、ボールジョイント８のボール８１が嵌入される。これにより、回動ルーバー２は、リテーナ１の流路１５内で、ボールジョイント８のボール８１中心を軸に、荷重付与部材７を介して傾動及び回動可能に装着される。
【００３３】
回動ルーバー２は、図４、７などに示すように、円筒フレーム２０の中央に中央軸支部３を配設し、中央軸支部３の外周部に５個の軸支部４を等間隔で設けて構成され、図１０，１１のように、中央軸支部３には、その外周部に５個の軸穴４ａが等間隔（約７２°の角度間隔）で設けられ、さらにその中央軸方向には、中央軸３１が突設される。
【００３４】
このように、ボールジョイント８のボール８１が荷重付与部材７のボール穴内に適度な摩擦抵抗をもって嵌入され、中央軸支部３がその中央のボール穴４１を、荷重付与部材７を介してボールジョイント８のボール８１に嵌合させているので、回動ルーバー２は、図１６に示す如く、ボール８１の中心を回動中心点として、適度な操作荷重をもって、上下左右等の任意の方向に傾動可能とされ、且つ中心線Ｓ２の回りで回動可能である。また、図１６などに示すように、回動ルーバー２の円筒フレーム２０の外周部は、リテーナ１の内面に接触せずに回動するため、回動・傾動操作時、従来のように不安定な操作荷重が生じたり、ゴリゴリ感が生じたりすることなく、ボールジョイント８の支持によって円滑に回動操作や傾動操作が可能となっている。
【００３５】
上記の如く、回動ルーバー２は、５枚の可動フィン２３を、図８のように、略等間隔（約７２度の角度間隔）で、放射状に設けた構造であり、各可動フィン２３の外周側と内周側には、図８、１０に示す如く、支軸２４ａ，２４ｂが突設される。各可動フィン２３は、中央軸支部３の外周部の軸支部４に設けた軸穴４ａ内に、その支軸２４ｂを嵌入させ、外側に突設された支軸２４ａを、円筒フレーム２０の前円筒フレーム２１と後円筒フレーム２２間に挟持させて取り付けられる。
【００３６】
特に、各可動フィン２３の内側の支軸２４ｂは、図４などに示すように、軸穴４ａに嵌入された状態で、中央軸支部３内に進入し、中央軸支部３内に挿入された荷重付与部材７に支軸２４ｂの先端が当接した状態となる。これにより、各可動フィン２３の支軸２４ｂは、常に荷重付与部材７の弾性力を軸方向（ラジアル方向）に受けた状態で、回動可能に軸支されることとなる。
【００３７】
このため、可動フィン２３や中央軸支部３などに寸法公差内の寸法のばらつきが生じた場合でも、ガタツキなく各可動フィン２３を回動可能に軸支することができる。また、支軸２４ｂの先端部を半球状としているので、半球状の支軸２４ｂの先端が荷重付与部材７を介してボール８１の外周面に当接し、支軸２４ｂは略点接触で支持され、これにより、より円滑な回動とガタツキのない支持を行なうことができる。
【００３８】
また、このような回動ルーバー２は、各可動フィン２３をその支軸２４ａ，２４ｂの回りで回動させたとき、その回動端で可動フィン２３のフィン本体２６が円筒フレーム２０の横断面と略平行状態となって、流路１５を全閉状態とし、送風を遮断する構造である。そのために、５枚の可動フィン２３のフィン本体２６は、流路１５の通風方向と直角な横断面に並置状態となってとき、全閉可能な形状及び大きさとなっている。
【００３９】
つまり、図１９に示すように、回動ルーバー２が、５枚の可動フィン２３を通風方向と直角な横断面と平行な状態まで回動させたとき、流路１５を全閉状態とする形状及び大きさに可動フィン２３は形成される。このように、回動ルーバー２は、５枚の可動フィン２３を並置するため、４枚の可動フィンの場合より、可動フィン２３のフィン本体２６の大きさを小形化することができる。これにより、回動ルーバー２は、上下左右等への傾動時、可動フィン２３をボールジョイント８に干渉させずに、所定の最大角度まで傾動することができる。
【００４０】
しかも、回動ルーバー２の可動フィン２３を５枚とした場合、各可動フィン２３をその支軸２４ａ，２４ｂを軸に回動させて送風を拡散させたとき、従来のように４枚の可動フィンを配設した回動ルーバーの場合より、送風時の風の拡散は、より高い効率で行なわれ、空気吹出口の周囲に、効率良く拡散されたマイルドな風を送風できるようになっている。
【００４１】
さらに、上記のように、可動フィン２３の小形化に伴い、可動フィン２３が流路１５の軸方向（送風方向）と平行になった状態の軸方向の長さを短くすることができる。このため、リテーナ１の長さを、従来の４枚の可動フィンのレジスタより、短くすることができ、これにより、レジスタの設置スペースを省スペース化することができるようになっている。
【００４２】
レジスタの操作部６は、図７などに示す如く、円環形状のダイヤル状に形成され、回動ルーバー２の円筒フレーム２０の前部の格子部２１ａの中央に、回動操作可能に装着される。格子部２１ａの中央には、軸受孔２１ｂが設けられ、その軸受孔２１ｂにベベルギヤ機構５のベベルギヤ部５１の軸部５２が挿通され、操作部６はその軸部５２に嵌合して取り付けられる。これにより、操作部６を回動操作すると、ベベルギヤ機構５のベベルギヤ部５１が回動する構造となっている。また、図３、４に示すように、操作部６はベゼル９の空気吹出口９ｂより少し前方に突出して設けられる。これにより、使用時、使用者は操作部６を容易に持って傾動操作または回動操作することができる。
【００４３】
ベベルギヤ機構５のベベルギヤ部５１は、中央軸支部３の中央軸３１を軸に回動し、中央軸支部３の軸支部４の各軸穴４ａに軸支された各可動フィン２３の内側端部に設けたベベルギヤ片２５が、このベベルギヤ部５１と噛合する。このため、操作部６を回動操作すると、ベベルギヤ部５１を介してベベルギヤ片２５が従動して回動し、回動ルーバー２の各可動フィン２３は、その支軸２４ａ，２４ｂを軸に回動する。つまり、ベベルギヤ機構５は、図１０に示すように、駆動側のベベルギヤ部５１と従動側のベベルギヤ片２５とを噛合して構成され、駆動側のベベルギヤ部５１の中央に軸部５２が突設され、軸部５２は操作部６の中央に連結される。軸部５２は前円筒フレーム２１の格子部２１ａの中央に設けた軸受孔２１ｂに挿通して回転可能に支持される。
【００４４】
また、ベベルギヤ機構５のベベルギヤ部５１は、図１１に示すように、軸部５２の軸方向に軸孔５２ａが形成され、この軸孔５２ａには、中央軸支部３の中央軸３１が回動可能に挿通される。これにより、駆動側のベベルギヤ部５１は中央軸支部３の中央に突設された中央軸３１に回動可能に支持される。駆動側のベベルギヤ部５１と噛合する従動側のベベルギヤ片２５は、図１０に示すように、各可動フィン２３の内側部分に一体成形されている。つまり、各可動フィン２３は、その内側端部に設けた支軸２４ｂを、中央軸支部３の軸支部４の軸穴４ａに嵌入し、従動側のベベルギヤ片２５は可動フィン２３の内側部分に一体成形される。また、各可動フィン２３の回動範囲は約９０°であるため、ベベルギヤ片２５は円環ホイール状に形成する必要はなく、図１４に示すように、約１８０°の角度範囲つまり略半円形の歯部として形成される。
【００４５】
上記構成により、駆動側のベベルギヤ部５１が操作部６の回動操作により回動したとき、図４に示すように、従動側の各ベベルギヤ片２５が軸支部４を中心に約９０°の範囲で回転し、これにより可動フィン２３が、軸支部４の回りで、回動ルーバー２の中心線Ｓ２と平行な状態から中心線Ｓ２と垂直な垂直面と平行な状態（流路の遮断状態）まで回動することとなる。また、上記のように、操作部６を持って図１５〜１７の如く、回動ルーバー２を上下左右などの任意の方向に傾動操作し、或いは回動操作したとき、回動ルーバー２はボールジョイント８のみで支持された状態で任意の方向に傾動または回動する構造となっている。
【００４６】
上記構成のレジスタは、例えば自動車のインストルメントパネルに設けられた空調装置の空気吹出口等に装着して使用される。レジスタの送風方向を変える場合、操作部６を持って回動ルーバー２を傾動操作或いは回動操作して行なう。操作部６はダイヤル状に形成され且つベゼル９の空気吹出口９ｂより少し前方に突出して配設されるため、使用者は容易に操作部６を持って傾動操作或いは回動操作が可能である。
【００４７】
図２，４に示すように、回動ルーバー２がレジスタの正面前方に真直ぐな状態にあるとき、つまり、回動ルーバー２の可動フィン２３が流路１５の軸方向に沿った中心線Ｓ２と平行な状態にあるとき、空気流は回動ルーバー２の可動フィン２３にガイドされて前方に真直ぐ送風され、このとき、前方の比較的狭い範囲に集中して送風が行なわれる。
【００４８】
一方、空気吹出口９ｂの前方の周囲における比較的広い範囲に、拡散して送風する場合、操作部６を持って中心線Ｓ２を軸に捻るように右または左に回す。
【００４９】
このとき、操作部６の回動力はベベルギヤ機構５の軸部５２を介してベベルギヤ部５１に伝達され、ベベルギヤ部５１が回転し、その回転がベベルギヤ部５１と噛合する５枚の可動フィン２３のベベルギヤ片２５に伝達され、５枚の可動フィン２３はその支軸２４ａ，２４ｂを軸に回動し、各可動フィン２３のフィン本体２６が流路１５の横断面に沿ったラジアル方向の軸の回りで回動する。
【００５０】
これにより、空気流は、回動ルーバー２を通過する際、回動ルーバー２の中心線Ｓ２の回りで旋回するように周囲に広って送風され、空気吹出口９ｂの周囲に拡散するように送風される。またこのとき、送風は空気吹出口の内側に配置された５枚の可動フィン２３により、周囲にガイドされて拡散されるので、従来の４枚の可動フィンの場合に比べ、よりマイルドな風を送風することができる。
【００５１】
一方、送風を遮断する場合には、操作部６をさらに右または左に回動端まで回す。これにより、回動ルーバー２の各可動フィン２３は、図１９に示すように、支軸２４ａ，２４ｂを軸に、中心線Ｓ１，Ｓ２と垂直な垂直面と平行な状態（流路の遮断状態）まで回動し、これによって流路１５は全閉状態となり、送風は遮断される。
【００５２】
一方、風向を斜め上方に向ける場合、操作部６を持って持ち上げるように操作すると、図１５，１６のように、操作部６を含む回動ルーバー２がボールジョイント８のボール８１を中心に上側に回動（傾動）し、リテーナ１の中心線Ｓ１に対し回動ルーバー２の中心線Ｓ２が図１６のように上側に傾斜し、これにより、送風方向は斜め上方に向けられる。同様に、風向を斜め下上方に向ける場合、操作部６を持って下げるように操作すると、図１７，１８のように、操作部６を含む回動ルーバー２がボールジョイント８のボール８１を中心に下側に回動（傾動）し、リテーナ１の中心線Ｓ１に対し回動ルーバー２の中心線Ｓ２が図１８のように下側に傾斜し、送風方向は斜め下方に向けられる。このように、操作部６を上下或いは左右等と任意の方向に傾動操作することにより、風向を任意の方向に向けることができる。
【００５３】
このとき、回動ルーバー２は、円筒フレーム２０とリテーナ１内面が非接触で、ボールジョイント８のみに支持された状態で、ボール８１を中心に傾動するので、従来のレジスタのように、外枠の内側球面と内枠の外側球面の接触による回動支持に比して、製品ごとの寸法誤差に起因した操作荷重のばらつきやゴリゴリ感は発生せず、安定した滑らかな操作フィーリングで回動ルーバー２を傾動させて風向を変えることができる。
【００５４】
また、ボールジョイント８のボール８１と中央軸支部３のボール穴４１間に、カップ状の荷重付与部材７を介装しているので、この荷重付与部材７により適度な操作荷重（摩擦抵抗）付与され、より安定した操作荷重で且つ滑らかな操作フィーリングをもって、回動ルーバー２を傾動操作することができる。
【００５５】
さらに、可動フィン２３の支軸２４ｂの先端が荷重付与部材７に当接し、荷重付与部材７はゴム状弾性体などから形成されて、支軸２４ｂに軸方向の弾性力を常時付与するので、可動フィン２３の寸法のばらつきなどに起因した可動フィン２３のガタツキを防止することができる。
【００５６】
一方、上記のように回動ルーバー２を傾動させた状態で、さらに操作部６を中心線Ｓ２の回りで回動操作すると、上記と同様、操作部６の回動力がベベルギヤ機構５の軸部５２を介してベベルギヤ部５１に伝達され、ベベルギヤ部５１が回転し、その回転がベベルギヤ部５１と噛合する５枚の可動フィン２３のベベルギヤ片２５に伝達され、５枚の可動フィン２３はその支軸２４ａ，２４ｂ及び軸支部４を軸に回動する。これにより、回動ルーバー２を通過する空気流は、中心線Ｓ２に沿って集中して送風される状態から、回動ルーバー２の中心線Ｓ２の回りで旋回するように周囲に拡散する状態まで変化し、上記と同様に、送風状態を集中状態から拡散状態まで変えるように調整することができる。
【００５７】
このように、回動ルーバー２の中央の操作部６を持って回動ルーバー２を任意の方向に傾動操作したとき、回動ルーバー２は、円筒フレーム２０とリテーナ１内面が非接触で、ボールジョイント８に支持された状態でボール８１を中心に傾動するので、従来のこの種のレジスタのように、外枠の内側球面と内枠の外側球面の接触による回動支持に比して、製品ごとの寸法誤差に起因した操作荷重のばらつきやゴリゴリ感は発生せず、安定した滑らかな操作フィーリングで回動ルーバー２を傾動させて風向を変えることができる。
【００５８】
なお、上記実施形態の回動ルーバー２には、５枚の可動フィン２３を設けたが、例えば、可動フィンの数を３枚或いは６枚とすることもできる。また、上記操作部６は円環状としたが、別の多角形などの形状にすることもできる。
【符号の説明】
【００５９】
１      リテーナ
２      回動ルーバー
３      中央軸支部
４      軸支部
４ａ    軸穴
５      ベベルギヤ機構
６      操作部
７      荷重付与部材
８      ボールジョイント
９      ベゼル
９ａ    係止爪
９ｂ    空気吹出口
１１    ボールジョイント支持部
１２    支持枠
１３    係止部
１５    流路
２０    円筒フレーム
２１    前円筒フレーム
２１ａ  格子部
２１ｂ  軸受孔
２２    後円筒フレーム
２３    可動フィン
２４ａ  支軸
２４ｂ  支軸
２５    ベベルギヤ片
２６    フィン本体
３１    中央軸
４１    ボール穴
５１    ベベルギヤ部
５２    軸部
５２ａ  軸孔
８１    ボール
８２    軸部
【図１】
2014091377.tif 000003
【図２】
2014091377.tif 000004
【図３】
2014091377.tif 000005
【図４】
2014091377.tif 000006
【図５】
2014091377.tif 000007
【図６】
2014091377.tif 000008
【図７】
2014091377.tif 000009
【図８】
2014091377.tif 000010
【図９】
2014091377.tif 000011
【図１０】
2014091377.tif 000012
【図１１】
2014091377.tif 000013
【図１２】
2014091377.tif 000014
【図１３】
2014091377.tif 000015
【図１４】
2014091377.tif 000016
【図１５】
2014091377.tif 000017
【図１６】
2014091377.tif 000018
【図１７】
2014091377.tif 000019
【図１８】
2014091377.tif 000020
【図１９】
2014091377.tif 000021